(57)【要約】  【課題】内部に竿帯と噛合う移動歯車を備え該移動歯車の回転により竿帯上を移動する移動竿を有する水平遮蔽羽ブラインドにおいて、移動竿を揺らすことなく軽快にその移動と保持の操作を行う移動保持操作装置を提供する。  【解決手段】  上部竿より水平遮蔽羽と移動竿を通る一対の歯付ベルトの竿帯を設け、該竿帯上に内部に該竿帯と噛み合う一対の移動歯車と操作伝動体を固定に備える水平軸を回転自在に備える移動竿を設け、上部竿に回転自在の上部車を設けて歯付ベルトの操作帯輪を巻き掛け、その前側を水平遮蔽羽の表側に垂下させ、その後側を水平遮蔽羽と移動竿を貫通して操作伝動体と噛み合わせて垂下させ、上部車の下部に上下に動く止め片の戻り止め手段を設けて操作帯輪の前側の操作で移動竿の移動と保持を行う。  【選択図】        図６
2005226272.tif 000002
【特許請求の範囲】
【請求項１】
上部竿（１，１ｄ）と、該上部竿に保持手段によりその上部側を保持され水平遮蔽羽と移動竿を貫通して垂下される一対の刻み目付竿帯（３）と、その内部に前記一対の刻み目付竿帯に対応する位置に該一対の刻み目付竿帯と噛合う一対の移動歯車（２０）を固定に備え軸受に回転自在に支持される水平軸（１２、１２ａ、１２ｂ、１２ｃ）を有し前記一対の刻み目付竿帯上に保持される少なくとも一本の移動竿（４、５、６、４ａ、４ｂ、４ｃ）と、前記上部竿内に軸受に回転自在に支持された前後方向の上部車（２６、２６ｄ）と、該上部車に巻き掛けられその前側垂下部（２８、２８ａ、２８ｂ、２８ｃ、２８ｄ）が水平遮蔽羽の表側を垂下されその後側垂下部（３０、３０ａ、３０ｂ、３０ｃ、３０ｄ）が水平遮蔽羽の内部を含む後側位置の移動竿内を貫通して垂下され移動竿の最降下位置の下側をまわって前記前側垂下部と繋がる操作帯輪（２７、２７ａ、２７ｂ、２７ｃ、２７ｄ）と、前記上部車の下部に設けられ前記操作帯輪の前側垂下部の操作で作動する止め片（３１、３１ｄ）の戻り止め手段と、前記水平軸上に固定される操作伝動体（３９、３９ａ、３９ｂ、３９ｃ）と、該操作伝動体と前記操作帯輪の後側垂下部とを回転連結する連結手段を有し前記操作帯輪の前側垂下部で操作する水平遮蔽羽ブラインドの移動竿の移動保持操作装置。
【請求項２】
操作伝動体（３９、３９ｂ）の側に軸受に回転自在に支持され操作帯輪の後側垂下部（３０、３０ｂ）と噛合いクラッチの回転連結部を備える伝動歯車（３７、３７ｂ）を設け、前記操作伝動体の他方側に竿側に固定されクラッチの回転連結部を備える保持体（４２、４２ｂ）を設け、前記操作伝動体上に横移動可能に回転連結され前記操作伝動体及び前記保持体との回転連結部を備えるクラッチ体（４０、４０ｂ）を設け、前記伝動歯車及び前記保持体とのクラッチ連結手段を備える請求項１記載の水平遮蔽羽ブラインドの移動竿の移動保持操作装置。
【発明の詳細な説明】
【技術分野】
【０００１】
本発明は、水平遮蔽羽ブラインドの移動竿の新規な移動保持操作装置に関する。特に、上部竿より水平遮蔽羽を貫通して垂下される一対の刻み目付竿帯上に内部に軸受に回転可能に支持された水平軸と該水平軸上に固定され前記刻み目付竿帯と噛み合う一対の移動歯車を備え、水平軸の回転により自ら上下移動を行うことの出来るようになっている移動竿の新規な移動保持操作装置に関する。
【背景技術】
【０００２】
前述の移動竿内に刻み目付竿帯と噛み合う移動歯車を備え水平軸の回転により移動するものが同一出願人の特願２００３−３１４１４８に開示されている。ここで開示されているものは、移動竿の移動保持操作装置の操作歯車に直に操作帯を巻き掛けてブラインドの前面よりその移動と保持の操作を行うようにしたものである。
【発明の開示】
【発明が解決しようとする課題】
【０００３】
移動竿の操作歯車に直に操作帯を巻き掛けてブラインドの前面より操作するものでは、操作帯を引いたり緩めたりする力が移動竿を揺らして細かい操作がやり辛いという欠点がある。
本発明の目的は、移動竿内に移動歯車を備える水平遮蔽羽ブラインドにおいて、移動竿を揺らすことなく軽快にその上下移動と保持の操作の出来る移動竿の簡明な移動保持操作装置を提供するにある。
【課題を解決するための手段】
【０００４】
上記目的を達成するために、本発明は、上部竿と、該上部竿に保持手段によりその上部側を保持され水平遮蔽羽と移動竿を貫通して垂下される一対の刻み目付竿帯と、その内部に前記一対の刻み目付竿帯に対応する位置に該一対の刻み目付竿帯と噛合う一対の移動歯車を固定に備え軸受に回転自在に支持される水平軸を有し前記一対の刻み目付竿帯上に保持される少なくとも一本の移動竿と、前記上部竿内に軸受に回転自在に支持された前後方向の上部車と、該上部車に巻き掛けられその前側垂下部が水平遮蔽羽の表側を垂下されその後側垂下部が水平遮蔽羽の内部を含む後側位置の移動竿内を貫通して垂下され移動竿の最降下位置の下側をまわって前側垂下部と繋がる操作帯輪と、前記上部車の下部に設けられ前記操作帯輪の前側垂下部の操作で作動する止め片の戻り止め手段と、前記水平軸上に固定される操作伝動体と、該操作伝動体と前記操作帯輪の後側垂下部とを回転連結する連結手段を有し前記操作帯輪の前側垂下部で操作する水平遮蔽羽ブラインドの移動竿の移動保持操作装置である。
【０００５】
操作伝動体の外周に操作帯輪の後側垂下部と噛合う伝動歯を設けて直連結手段とすることが出来る。
【０００６】
移動竿内に軸受に回転自在に支持され操作帯輪の後側垂下部と噛合う伝動歯車を設け、操作伝動体と伝動歯車とを複段連結手段により回転連結することにより減速伝動が出来るので、操作帯輪の後側垂下部に掛る移動力を軽減することが出来る。
【０００７】
特に、複数本の移動竿を備えるブラインドにおいては、操作伝動体の側に軸受に回転自在に支持され操作帯輪の後側垂下部と噛合いクラッチの回転連結部を備える伝動歯車を設け、操作伝動体の他方側に竿側に固定されクラッチの回転連結部を備える保持体を設け、操作伝動体上に横移動可能に回転連結され操作伝動体及び保持体との回転連結部を備えるクラッチ体を設け、伝動歯車及び保持体との回転連結のクラッチ連結手段を設けるとよい。
【０００８】
上記クラッチ連結手段は、クラッチ体と伝動歯車との回転連結が外れる前にクラッチ体と保持体の回転連結が行われるものとすることも出来、切換えの際の移動竿の不意の落下を防止出来る。
【０００９】
上記クラッチ連結手段は、伝動歯車及び保持体との回転連結の切換えの間にどちらにも回転連結しない中立の位置を備えるものとすることも出来る。
【００１０】
又、上記戻り止め手段は上部車の下部にその後部側を保持手段により上下動可能に保持され、その前側面に前記操作帯輪の前側垂下部の刻み目と噛合い可能な止め掛け歯面部を備える止め片を備えるものとすることが出来る。
【００１１】
又、上記戻り止め手段はその外周部に刻み目を有する上部車と該上部車の下部にその後部側を上部竿側に固定に設けた保持ピンにより一定範囲で揺動可能に保持され、その上側面に対面する前記上部車の刻み目と噛合い可能な止め歯面を、その前側面に前記操作帯輪の前側垂下部と対面する止め掛け接面部を備える止め片を備えるものとすることが出来る。
【００１２】
操作帯輪の垂下位置は、ブラインド面の中央部に設けることが移動竿を移動させる際のバランス上好ましい。
【発明の効果】
【００１３】
移動竿を上下に移動させる際に、操作帯輪の前側垂下部を引き、戻しする力が固定された上部竿に掛かるので、移動竿の動揺が抑えられ安定した移動操作が行われる。
【００１４】
クラッチ連結手段を設けたことによって、複数の移動竿を一本の操作帯輪で操作することが出来る。又、上位の移動竿の切換手段に中立位置を設けることで竿の上げ・降し操作を直接手で出来る等の他、操作性の向上が得られる。
【００１５】
操作伝動体と伝動歯車との間に複段連結手段を設けることにより減速回転に伝導することが出来るので、操作帯輪の後側垂下部の移動力を弱めることが出来、一層軽快で安定した竿移動操作が行われる。
【発明を実施するための最良の形態】
【００１６】
窓上部に固定した上部竿にその上部側を固定手段により固定され水平遮蔽羽と移動竿を貫通して垂下される一対の歯付ベルトの竿帯を設け、該一対の竿帯上にその内部に竿帯と噛み合う一対の移動歯車を固定に備え回転自在に支持された水平軸を有する移動竿を設け、上部竿内に回転自在に支持された上部車を設け、該上部車に歯付ベルトの操作帯輪を巻き掛けその前側垂下部を水平遮蔽羽の表側に垂下させその後側垂下部を水平遮蔽羽と移動竿を貫通して垂下させると共に、上部車の下部に操作帯輪の前側垂下部の傾け操作で作動する戻り止め手段を設け、水平軸上に操作帯輪の後側垂下部と噛み合う操作伝動体を固定に設け、操作帯輪の前側垂下部の操作で移動竿の移動と保持を行う水平遮蔽羽のブラインドを形成する。
【実施例１】
【００１７】
図１〜８において、窓枠の上部の壁に金具等を介して固定に取り付けられている上部竿1には各々固定駒２に保持された一対の歯付ベルトの竿帯３が垂下されている。該一対の竿帯３上には上から上部移動竿４、中間移動竿５、下部移動竿６の順で移動竿が保持されている。上部竿1と上部移動竿４の間には上部水平遮蔽羽７が、中間移動竿５と下部移動竿６の間には下部水平遮蔽羽８が設けてある。竿帯３は上部水平遮蔽羽７及び下部水平遮蔽羽８の対応する位置に穿たれた帯孔と各移動竿４，５，６の通し孔を貫通して垂下され、下部移動竿６の下方で後側へ曲げ上げて下部移動竿６の下部に差込まれて固定されている。図ではブラインドが略一杯に開かれた状態で、下部移動竿６は最降下位置にある。上部水平遮蔽羽７は上部竿１内の回転軸９に固定された一対の傾動駒１０の摩擦リング５０から上部移動竿４に垂下される一対の上部羽保持紐１１に保持され、下部水平遮蔽羽８は中間移動竿５内の水平軸１２に固定された一対の傾動駒１３の摩擦リングから下部移動竿６に垂下される一対の下部羽保持紐１４に保持されている。このようにして一面のブラインド内に上部遮蔽調節面１５と下部遮蔽調節面１６と眺望遮蔽調節面１７の三つの遮蔽調節面が形成されている。
中間移動竿５の傾動摩擦リング１３部分を除くと移動竿４，５，６の内部は同一であるから、内部の同一部分は同一符号で示すこととし、移動竿の内部については主に下部移動竿６により説明する。下部移動竿６内には軸受１８と１９に回転自在に支持される一本の水平軸１２が設けてある。該水平軸１２は四角の軸断面を有しており、竿帯３の通過する位置に各々竿帯３の歯と噛合う一対の移動歯車２０が固定されている。移動歯車２０の側の上下には支持板２１に支持された巻掛けローラ２２，２３が設けてあり、竿帯３は巻掛けローラ２２，２３に案内されて移動歯車２０に深く巻掛けられ上下の通し孔より上と下に抜けている。このようにして下部移動竿６は竿帯３上に平行に保持されている。水平軸１２の中央部に操作帯輪２７とその片方側で噛合う幅広い伝動歯車３７が軸受３８を介して回転自在に保持されている。
伝動歯車３７の側には操作伝動体３９が水平軸１２に固定に設けてある。該操作伝動体３９の外周は伝動歯車３７と同一の歯車になっている。操作伝動体３９の伝動歯車３７と反対側には下部移動竿６側に幅広の保持体４２が設けてある。該保持体４２の外周も伝動歯車３７と同一の歯車になっており、支持板４１に形成される内歯車にその片方側が固く嵌まって固定されている。水平軸１２は保持体４２の内部を貫通しており、軸受４３を介して回転自在に保持されている。操作伝動体３９の外周上には横移動自在に噛合わされた内歯車を有するクラッチ体４０が嵌まっている。該クラッチ体４０の内歯車部は横移動によって伝動歯車３７とも保持体４２とも噛合って回転連結することが出来る。クラッチ体４０の外周にはシフター溝が設けてあり、レバーピン４４を備えるシフター４５が相対回転自在に嵌まっている。レバーピン４４は下部移動竿６の前板に設けられた横に長いレバー孔４６を通って前方へ一定長さ突出している。レバーピン４４の操作によりクラッチ体４０は図５に符号Ａで示す範囲を横移動する。図５において水平軸１２の上側にはクラッチ体４０が保持体４２側に移動して回転連結された状態が示されており、水平軸１２の下側にはクラッチ体４０が伝動歯車３７側に移動して回転連結された状態が示されている。クラッチ体４０が伝動歯車３７と回転連結されている時、後側垂下部２８の上方移動により伝動歯車３７が矢印のように回されると、クラッチ体４０を介して操作伝動体３９が回され水平軸１２が矢印のように回転して下部移動竿６が矢印のように上方に移動させられる。クラッチ体４０が保持体４２側と回転連結されている時、操作伝動体３９はクラッチ体４０を介して保持体４２と一体になり、水平軸１２の回転を止めて下部移動竿６をその位置に保持する。図５で明らかなように、クラッチ体４０は伝動歯車３７との回転連結が外れる前に保持体４２との回転連結が行われるようになっている。これによって、切換え操作時の竿の落下が防止される。レバー孔４６の縁に板バネで造られたレバー保持舌４７が嵌め込まれており、レバーピン４４をその弾力で押えてクラッチ体４０を連結位置に保持する。このようにしてクラッチ連結手段が構成される。
上部竿１内には両側を竿に固定された軸受２４，２５に回転自在に支持された回転軸９が設けてある。該回転軸９の中央部に上部車２６が固定されている。ここで、上部車２６は外周に巻掛けられる歯付ベルトの操作帯輪２７の歯と噛合う調歯車である。操作帯輪２７の前側垂下部２８は上部竿１の前孔２９より上部水平遮蔽羽７の表側を垂下している。一方、後側垂下部３０は竿帯３と同じように上部水平遮蔽羽７及び下部水平遮蔽羽８の対応する位置に穿たれた操作帯輪用の帯孔と、各移動竿４，５，６の操作帯輪用の通し孔を貫通して下部移動竿６の下方へ抜けて前側垂下部２８の下部に繋がっている。上部車２６の下部に前後に長い止め片３１が設けてある。該止め片３１はその後部側を上部竿１に固定された保持ブロック３２の保持ピン３３により保持されており、上部車２６と上部竿１の底板の間で保持ピン１６の周りに揺動自在である。該止め片３１の前部側の上側面には対面する上部車２６と噛合い可能な止め歯面３４を、その前側面には対面する操作帯輪の前側垂下部２８と対面する止め掛け接面部３５の止め掛け手段を備えている。該止め片３１の止め歯面３４が上部車２６の下側に噛合っている時、その止め掛け接面部３５は上部車２６の前側部分より幾分前方へ出っ張る。そこで、操作帯輪２７の前側垂下部２８は常に止め掛け接面部３５に接触して下に垂下されている。これによって、風などによる外力が働いて操作帯輪の後側垂下部３０より上部車１０に掛る力が弛むことがあっても、止め片３１は容易に外れて落下することがない。前側垂下部２８を手に持ってＳの傾きで矢印のように引くと前側垂下部２８は止め掛け接面部３５から離れ、上部車２６を矢印３６の方向に回転せしめる。そこで、止め片３１は自重によりその止め歯面３４と上部車２６との噛合いが外れて上部竿１の底板上に落下する。これによって上部車２６の回転が自由になるので前側垂下部２８を引き、あるいは戻しして操作帯輪の後側垂下部３０を矢印のように上に、あるいは下に移動させることが出来る。前側垂下部２８の操作で移動竿が所望の位置になった時、前側垂下部２８をＴの傾きを保って戻すと、該前側垂下部２８の内面は止め掛け接面部３５に接触してその摩擦力で止め片３１を引き上げ、その止め歯面３４を上部車２６の下側に噛み込ませて上部車２６の回転を止める。これによって移動竿の移動は止まりその位置に保持される。このようにして戻り止め手段が形成される。以上のように、この実施例では各移動竿の移動と保持の操作は操作帯輪の前側垂下部と各移動竿のクラッチ連結手段によって行うことが出来る。
図７に於いて、固定駒２は竿帯３の縦断面形状に合致した形状の一方の側端が開放された垂直の保持溝４８を有しており、竿帯３は該保持溝４８にその開放側から横滑りに嵌め込まれている。そして固定駒２は上部竿１の上板側の駒孔４９から下板に至るまで垂直に差し込まれて固定されている。ここで、竿帯３は上部竿１に固定されることには限定されない。上下移動するように任意の移動保持装置によって保持することも出来る。
図８に於いて、円筒形の外周部を有する傾動駒１０は回転軸９に固定されている。上部羽保持紐１１を結合する摩擦リング５０は傾動駒１０の外周にその弾力で抱き込むように嵌まっており、回転軸９の回転で上部水平遮蔽羽７を傾ける一定の回転力を生起させることが出来る。
【実施例２】
【００１８】
図９は連結手段の他の実施例を示す。一本の移動竿４ａの水平軸１２ａには操作帯輪２７ａの後側垂下部３０ａの垂下位置に、その外周に該後側垂下部３０ａと噛合う歯を刻まれた操作伝動体３９ａが固定されている。そこで、後側垂下部３０ａの矢印方向の移動は直接水平軸１２ａを矢印方向に回して移動竿４ａを矢印方向に移動せしめる。後側垂下部３０ａによって直に操作伝動体３９ａを回す直連結手段である。
【実施例３】
【００１９】
図１０は連結手段さらに他の実施例を示す。ここで、前例の図５に示す部分と同じ部分は同一符号にｂを添えて示し、その詳しい説明は省略する。ここに示すクラッチ連結手段は、クラッチ体４０ｂと伝動歯車３７ｂ及びクラッチ体４０ｂと保持体４２ｂの回転連結の切換えの間にどちらとも回転連結しない中立の位置を備えている。図はクラッチ体４０ｂが中立の位置にある状態を示している。複数の移動竿を有するブラインドの場合、上位の竿にこの中立位置を備える切換手段を取り入れておけば、竿の引上げ・降し操作の際に等に好都合である。例えば、前述の実施例で上部移動竿に中立位置を備える切換手段を設けておき、竿の引上げ・降し操作の際に中立位置に設定しておけば、上部移動竿を常に中間移動竿上に乗せて上下動させることが出来る。そして、眺望空間取る時に、手で直接上部移動竿を持ち上げてレバーピンを保持側にしてその位置に保持しておくようなことが出来る。
【実施例４】
【００２０】
図１１〜１２は連結手段さらに他の実施例を示す。ここで、操作伝動体３９ｃと伝動歯車３７ｃは歯車式の複段連結手段によって回転連結されている。伝動歯車３７ｃは両側に回転軸５１及び５２を備え、連結手段全体を囲む軸受３８ｃによって回転自在に支持されている。伝動歯車３７ｃ側にずれた位置にあって、操作伝動体３９ｃは伝動歯車３７ｃより側にずれた位置にあって、水平軸１２ｃの軸端に固定されており、その外周に歯を有する歯車になっている。そして、この操作伝動体３９ｃの外周には内歯歯車５４が固く嵌まって固定されている。伝動歯車の回転軸５２の端に小さなピニオン歯車５３が設けてあり、該ピニオン歯車５３が内歯歯車５４に噛合わされている。そこで、後側垂下部３０ｃの上（矢印）方向の移動は内歯歯車５４を矢印５５方向に回して移動竿４ｃを上（矢印）方向に移動せしめる。ここで、伝動歯車の回転は大きく減速されて水平軸１２ｃに伝達されるので、操作帯輪の後側垂下部３０ｃの移動力が弱められ、一層軽快で安定した竿移動操作が行われる。
【実施例５】
【００２１】
図１３は戻り止め手段の他の実施例を示す。ここで、前例の図６に示す部分と同じ部分は同一符号にｄを添えて示し、その詳しい説明は省略する。ここに示す戻り止め手段の止め片３１ｄは上部車２６ｄの下部に保持ブロック３２ｄの保持ピン３３ｄにより一定範囲で揺動可能に保持されており、その前側面に操作帯輪の前側垂下部２８ｄの刻み目と噛合い可能な止め掛け歯面部３５ｄの止め掛け手段を備えている。止め片３１ｄの掛かりを外す操作は前述の例同様で、前側垂下部２８ｄをＳｄの傾きを保って引くことで止め掛け歯面部３５ｄが前側垂下部２８ｄの刻み目から外れる。移動竿が所望の位置になった時、前側垂下部２８ｄをＴｄの傾きを保って戻すと、その内側の歯は止め掛け歯面部３５ｄを引っ掛けて噛み合い、止め片３１ｄを上部車２６ｄの下側に当たるまで引き上げる。そこで、回転軸９ｄの回転が止められる。これによって移動竿はその止まった位置に保持される。図のように前側垂下部２８ｄが止め掛け歯面部３５ｄに噛合って下に垂下されていれば、風などによる外力が働いて上部車２６ｄに掛る回転力が弛むことがあっても、止め片３１ｄは容易に外れることがない。
【産業上の利用可能性】
【００２２】
一面内に複数本の移動竿を備え、複数面の遮蔽調節面を備える水平遮蔽羽のブラインド等において特に有効に実施されよう。
【図面の簡単な説明】
【００２３】
【図１】実施例を示すブラインドの正面図である。
【図２】図１のブラインドの右側面図である。
【図３】図１における３部分の拡大図である。
【図４】図１における４部分の拡大図である。
【図５】図４における５−５断面図である。
【図６】図１における６−６断面図である。
【図７】図１における７−７断面図である。
【図８】図３における８−８矢視図である。
【図９】他の実施例を示す図６と同じ部位における部分断面図である。
【図１０】他の実施例を示す図５と同じ部位における部分断面図である。
【図１１】他の実施例を示す図６と同じ部位における部分断面図である。
【図１２】図１１における１２−１２断面図である。
【図１３】他の実施例を示す図６と同じ部位における部分断面図である。
【符号の説明】
【００２４】
１、 １ｄ  上部竿
３ 
竿帯
４、５、６、４ａ、４ｂ、４ｃ  移動竿
７、８  水平遮蔽羽
９、９ｄ 
回転軸
１２、１２ａ、１２ｂ、１２ｃ  水平軸
１８、１９、２４、２５  軸受
２０  移動歯車
２２，２３  巻き掛けローラ
２６、２６ｄ 
上部車
２７、２７ａ、２７ｂ、２７ｃ、２７ｄ  操作帯輪
２８、２８ａ、２８ｂ、２８ｃ、２８ｄ  前側垂下部
３０、３０ａ、３０ｂ、３０ｃ、３０ｄ  後側垂下部
３１、３１ｄ  止め片
３４  止め歯面
３５、３５ｄ  止め掛け手段
３７、３７ｂ、３７ｃ 
伝動歯車
３９、３９ａ、３９ｂ、３９ｃ  操作伝動体
４０，４０ｂ  クラッチ体
４２，４２ｂ  保持体
４４，４４ｂ  レバーピン
【図１】
2005226272.tif 000003
【図２】
2005226272.tif 000004
【図３】
2005226272.tif 000005
【図４】
2005226272.tif 000006
【図５】
2005226272.tif 000007
【図６】
2005226272.tif 000008
【図７】
2005226272.tif 000009
【図８】
2005226272.tif 000010
【図９】
2005226272.tif 000011
【図１０】
2005226272.tif 000012
【図１１】
2005226272.tif 000013
【図１２】
2005226272.tif 000014
【図１３】
2005226272.tif 000015